(57)【要約】【課題】携帯端末の厚さを薄くしながら、電池を入れたままカードを抜き差ししてカードが損傷するのを防ぐ。【解決手段】スライド式携帯電話機１（携帯端末）のキャビネット３ａの長手方向に電池収容凹部８及びカード差込部１０を互いに隣接するように設ける。電池収容凹部８とカード差込部１０との境界に規制部材１２を設け、この規制部材１２によって、電池収容凹部８に電池６が収容されているときに、カード差込部１０に対してＳＩＭカード９の抜き差し動作を規制する。【選択図】図１
2008289063.tif 000002
【特許請求の範囲】
【請求項１】
長手方向に互いに隣接する電池収容凹部及びカード差込部を有するキャビネットと、
上記電池収容凹部とカード差込部との境界に設けられ、該電池収容凹部に電池が収容されているときに、該カード差込部に対してカードの抜き差し動作を規制する規制部材とを備えている
ことを特徴とする携帯端末。
【請求項２】
請求項１に記載の携帯端末において、
上記規制部材は、上記カード差込部の差込口に設けられ、上記電池収容凹部側にスライドすることで、上記カードの抜き差し動作の規制を解除するように構成されている
ことを特徴とする携帯端末。
【請求項３】
請求項１又は２に記載の携帯端末において、
上記カードは、上記カード差込部に対して上記キャビネットの幅方向に抜き差しされるように構成されている
ことを特徴とする携帯端末。
【請求項４】
請求項３に記載の携帯端末において、
上記差込口には、上記カードの差込を容易にするテーパー面が形成され、
上記規制部材は、上記テーパー面よりも膨出し、上記カードが挿入口から抜け出すのを規制する膨出部を有している
ことを特徴とする携帯端末。
【請求項５】
請求項４に記載の携帯端末において、
上記テーパー面には、上記規制部材が上記電池収容凹部側から差し込まれる規制部材挿入用開口が形成され、
上記規制部材は、上記規制部材挿入用開口に挿入される挿入部を有し、該挿入部の基端側に上記膨出部が形成されている
ことを特徴とする携帯端末。
【請求項６】
請求項５に記載の携帯端末において、
上記挿入部は、上記テーパー面の一部を構成するテーパー部を備えている
ことを特徴とする携帯端末。
【請求項７】
請求項６に記載の携帯端末において、
上記挿入部の先端側は、上記規制部材挿入用開口周縁裏面に挿入されるように構成されている
ことを特徴とする携帯端末。
【請求項８】
請求項７に記載の携帯端末において、
上記規制部材の上記電池収容凹部との境界には、該規制部材を抜き差しする際に操作する操作部が突設されている
ことを特徴とする携帯端末。
【請求項９】
請求項５乃至８のいずれか１つに記載の携帯端末において、
上記挿入部の裏面側には、上記規制部材挿入用開口の周縁裏面に当接するフランジ部が形成されている
ことを特徴とする携帯端末。
【請求項１０】
請求項９に記載の携帯端末において、
上記フランジ部には、規制部材挿入用開口に差し込まれたときに撓んで抜け止めされる抜け止め部が形成されている
ことを特徴とする携帯端末。
【請求項１１】
請求項１０に記載の携帯端末において、
上記規制部材は、樹脂成形品である
ことを特徴とする携帯端末。
【請求項１２】
請求項１乃至１１のいずれか１つに記載の携帯端末において、
上記電池収容凹部及びカード差込部は、電池蓋で覆われている
ことを特徴とする携帯端末。
【請求項１３】
請求項１乃至１２のいずれか１つに記載の携帯端末において、
上記カードは、ＩＣカードである
ことを特徴とする携帯端末。
【請求項１４】
請求項１３に記載の携帯端末において、
上記ＩＣカードは、ＳＩＭカードである
ことを特徴とする携帯端末。
【請求項１５】
請求項１乃至１４のいずれか１つに記載の携帯端末において、
スライド式携帯電話機である
ことを特徴とする携帯端末。
【請求項１６】
請求項１乃至１４のいずれか１つに記載の携帯端末において、
折畳み式携帯電話機である
ことを特徴とする携帯端末。
【請求項１７】
請求項１乃至１４のいずれか１つに記載の携帯端末において、
ストレート式携帯電話機である
ことを特徴とする携帯端末。
【発明の詳細な説明】
【技術分野】
【０００１】
本発明は、電池収容凹部及びカード差込部を有するキャビネットを備えた携帯端末に関し、特にそのカード差込部に対するカードの差し込み動作を規制する構造に関する。
【背景技術】
【０００２】
ＳＩＭカード（Subscriber Identity Module）は、ＧＳＭやＷ−ＣＤＭＡなどの方式の携帯電話機で使われているＩＣカードであり、ＳＩＭカード内にはユーザーの電話番号や契約している携帯電話事業者の情報などが記録されている。ＳＩＭカードを携帯電話機に装着することで、その携帯電話機をカード内に記録されている電話番号で利用できるようになっている。
【０００３】
ＳＩＭカードは頻繁に抜き差しすることを想定したものではなく、電源が入っているときに抜き差しして内部のデータが消去されるのを防ぐために、抜き差しの前に確実にＳＩＭカードの電源を切るべく、携帯電話機の電源をオフにする必要がある。そのため、多くの携帯電話機では、電池を取り外さないとＳＩＭカードの抜き差しができないような構造になっている。
【０００４】
例えば、特許文献１では、携帯電話機本体、ＩＣカード、電池パックを備え、電池パックを取り外したときに露出する面にＩＣカードを装着できるように、携帯電話機本体に係止部と、押し出しばねと、ＩＣカードの接続コネクタとを有する携帯電話機が開示されている。この携帯電話機では、押し出しばねのばね力及びＩＣカードを携帯電話機本体から押し出す方向に働く接続コネクタのばね力により、ＩＣカードの着脱を行っている。このことで、ＩＣカードの着脱構造を簡単にし、且つＩＣカードの保護を十分に行って破損等の危険が生じないようしている。
【０００５】
特許文献２では、携帯端末機のケースの開口部に形成されたカード装着用凹部にＳＩＭカードを挿入し、スライド式のケースロックによりＳＩＭカードを保持するようにしている。挿入されたＳＩＭカードを保持するカードロックは、バッテリのカードロックストッパにより確実に固定される。ＳＩＭカードを交換する際にＳＩＭカードをカード装着用凹部の傾斜部により持ち上げ、同時にスライド式のカードロックも後方向へスライドさせ、カード取付及び取り出し操作が簡単で且つ破損等を生じることなく確実に行えるようにしている。
【０００６】
特許文献３では、表示部を有する第１筐体と操作部を有する第２筐体とがヒンジ部を介して開閉可能に結合された折畳み式携帯電子装置において、第２筐体に電池室を設け、第２筐体の外面にＳＤカード（第１のＩＣカード）の挿入口と第２筐体内部の電池室に臨むＳＩＭカード（第２のＩＣカード）の挿入口と、ＳＤカード用のコネクタと、ＳＩＭカード用のコネクタと、これらのカードを装着して電気的に接続するためのカード室とを設けている。この構成により、複数のＩＣカードの装着構造を省スペースで実現している。
【特許文献１】特開平６−２７６２６３号公報
【特許文献２】特開２００３−３０４３１３号公報
【特許文献３】特開２００４−２２２１７０号公報
【発明の開示】
【発明が解決しようとする課題】
【０００７】
しかしながら、従来の携帯端末では、電池を収容する電池収容凹部とカードを抜き差しするカード差込部とが携帯端末の厚さ方向に重ねるように設けられているので、携帯端末の厚さを薄くすることができないという問題があった。
【０００８】
本発明は、かかる点に鑑みてなされたものであり、その目的とするところは、携帯端末の厚さを薄くしながら、電池を入れたままカードを抜き差ししてカードが損傷するのを確実に防ぐことにある。
【課題を解決するための手段】
【０００９】
上記の目的を達成するために、この発明では、携帯端末のキャビネットの長手方向に電池収容凹部とカード差込部とを互いに隣り合うよう形成した。
【００１０】
具体的には、第１の発明では、長手方向に互いに隣接する電池収容凹部及びカード差込部を有するキャビネットと、
上記電池収容凹部とカード差込部との境界に設けられ、該電池収容凹部に電池が収容されているときに、該カード差込部に対してカードの抜き差し動作を規制する規制部材とを備えている。
【００１１】
上記の構成によると、キャビネットの長手方向に電池収容凹部とカード差込部とを互いに隣り合うよう形成しているので、これらを携帯端末の厚さ方向に重ね合わせて設ける場合に比べて厚さが薄くなると共に、キャビネットの長手方向のスペースが有効に利用できる。また、規制部材により、電池収容凹部に電池が収容されているときに、カード差込部に対してカードの抜き差し動作が規制されるので、カードの損傷が確実に防止される。
【００１２】
第２の発明では、第１の発明において、
上記規制部材は、上記カード差込部の差込口に設けられ、上記電池収容凹部側にスライドすることで、上記カードの抜き差し動作の規制を解除するように構成されている。
【００１３】
上記の構成によると、電池収容凹部から電池を取り出し、規制部材を電池収容凹部側にスライドすることで、規制部材によるカードの抜き差し動作の規制が解除される。このため、簡単な構成で規制部材が構成される。
【００１４】
第３の発明では、第１又は第２の発明において、
上記カードは、上記カード差込部に対して上記キャビネットの幅方向に抜き差しされるように構成されている。
【００１５】
上記の構成によると、カードの抜き差し方向をキャビネットの幅方向とすることで、キャビネットの長手方向の長さの増加が防止される。
【００１６】
第４の発明では、第３の発明において、
上記差込口には、上記カードの差込を容易にするテーパー面が形成され、
上記規制部材は、上記テーパー面よりも膨出し、上記カードが挿入口から抜け出すのを規制する膨出部を有している。
【００１７】
上記の構成によると、テーパー面よりも膨出する膨出部がカードの抜き差しを防止し、テーパー面があることで、カードがテーパー面に沿ってスムーズに抜き差しされる。また、テーパー面に規制部材を設けることで、スペースを有効に利用できる。
【００１８】
第５の発明では、第４の発明において、
上記テーパー面には、上記規制部材が上記電池収容凹部側から差し込まれる規制部材挿入用開口が形成され、
上記規制部材は、上記規制部材挿入用開口に挿入される挿入部を有し、該挿入部の基端側に上記膨出部が形成されている。
【００１９】
上記の構成によると、規制部材の挿入部をテーパー面に形成した規制部材挿入用開口に挿入することで、膨出部がテーパー面に確実に配置され、カードの抜き差しが確実に防止される。
【００２０】
第６の発明では、第５の発明において、
上記挿入部は、上記テーパー面の一部を構成するテーパー部を備えている。
【００２１】
上記の構成によると、挿入部のテーパー部がテーパー面と連続しているので、規制部材を全て抜け出さなくても、膨出部がテーパー面に存在しなくなるまで引き出せば、テーパー面の領域にテーパー部が残っていても、テーパー面上をカードがスライド移動可能となる。このため、規制部材の抜き差しが容易である。また、規制部材を全て引き出してキャビネットから取り出さなくてもよいので、規制部材を紛失することはない。
【００２２】
第７の発明では、第６の発明において、
上記挿入部の先端側は、上記規制部材挿入用開口周縁裏面に挿入されるように構成されている。
【００２３】
上記の構成によると、挿入部の先端はテーパー面よりも一段低くなっているので、規制部材を全て抜け出さなくても、膨出部がテーパー面に存在しなくなるまで引き出せば、テーパー面の領域に挿入部の先端が残っていても、テーパー面上をカードがスライド移動する。このため、規制部材の抜き差しが容易である。
【００２４】
第８の発明では、第７の発明において、
上記規制部材の上記電池収容凹部との境界には、該規制部材を抜き差しする際に操作する操作部が突設されている。
【００２５】
上記の構成によると、操作部を操作することで規制部材が容易に電池収容凹部側にスライドされる。
【００２６】
第９の発明では、第５乃至第８のいずれか１つの発明において、
上記挿入部の裏面側には、上記規制部材挿入用開口の周縁裏面に当接するフランジ部が形成されている。
【００２７】
上記の構成によると、挿入部のフランジ部が規制部材挿入用開口の周縁裏面に当接するので、規制部材が抜け止めされる。
【００２８】
第１０の発明では、第９の発明において、
上記フランジ部には、規制部材挿入用開口に差し込まれたときに撓んで抜け止めされる抜け止め部が形成されている。
【００２９】
上記の構成によると、規制部材を規制部材挿入用開口に差し込むと、抜け止め部が撓んでその弾性により抜け止めされるので、規制部材が誤って外れて規制部材の規制が解除されるのが確実に防止される。
【００３０】
第１１の発明では、第１０の発明において、
上記規制部材は、樹脂成形品とする。
【００３１】
上記の構成によると、複雑な形状も容易且つ安価に成形でき、また、抜け止め部が撓み易いので、抜け止め効果が発揮されやすい。
【００３２】
第１２の発明では、第１乃至第１１のいずれか１つに発明において、
上記電池収容凹部及びカード差込部は、電池蓋で覆われている。
【００３３】
上記の構成によると、電池蓋で覆われているときには、カード差込部も覆われるので、見映えがよい。
【００３４】
第１３の発明では、第１乃至第１２のいずれか１つの発明において、
上記カードは、ＩＣカードとする。
【００３５】
上記の構成によると、電池が収容されたままでＩＣカードが抜き差しされないので、ＩＣカード内部のデータが損傷されることはない。
【００３６】
第１４の発明では、第１３の発明において、
上記ＩＣカードは、ＳＩＭカードとする。
【００３７】
上記の構成によると、電池が収容されたままでＳＩＭカードが抜き差しされないので、ＳＩＭカードが損傷せず、その信頼性が向上する。
【００３８】
第１５の発明では、第１乃至第１４のいずれか１つの発明において、
携帯端末は、スライド式携帯電話機とする。
【００３９】
第１６の発明では、第１乃至第１４のいずれか１つの発明において、
携帯端末は、折畳み式携帯電話機とする。
【００４０】
第１７の発明では、第１乃至第１４のいずれか１つの発明において、
携帯端末は、ストレート式携帯電話機とする。
【００４１】
これらの発明によると、いずれの形状の携帯電話機においても、カードが損傷するのが確実に防止されるので、商品性が向上する。
【発明の効果】
【００４２】
以上説明したように、本発明によれば、キャビネットの長手方向に電池収容凹部とカード差込部とを互いに隣り合うよう形成すると共に、規制部材により、電池収容凹部に電池が収容されているときに、カード差込部に対してカードの抜き差し動作を規制したことにより、携帯端末の厚さを薄くしながら、電池を入れたままカードを抜き差ししてカードが損傷するのを確実に防ぐことができる。
【発明を実施するための最良の形態】
【００４３】
以下、本発明の実施形態を図面に基づいて説明する。
【００４４】
図２乃至図４は本発明の実施形態の携帯端末としてのスライド式携帯電話機１を示し、このスライド式携帯電話機１は、縦長の画面２ａを有する第１の筐体２と、操作部４を有する第２の筐体３とを有し、第１の筐体２が第２の筐体３の表面上をスライドすることで、第１の筐体２と第２の筐体３とが重なる閉じた状態（図２及び図４に示す）と、操作部４が現れる開いた状態（図３に示す）とに切換可能に構成されている。
【００４５】
図４に示すように、第２の筐体３の裏側のキャビネット３ａには、内部に電池６を収納するための電池蓋５が設けられている。図１，図５乃至図７に示すように、この電池蓋５の内部には、電池６を収容する電池収容凹部８と、ＳＩＭカード９を差し込むためのカード差込部１０とが設けられている。
【００４６】
具体的には、電池収容凹部８は、平面視矩形状の凹部よりなり、上下に長細い矩形板状の電池６が収容されるようになっている。カード差込部１０は、スライド式携帯電話機１を背面側から見たとときに、電池収容凹部８のキャビネット３ａの長手方向（上下方向）の上側に隣接されている。カード差込部１０の差込口に該当する右側には、ＳＩＭカード９の差込を容易にするテーパー面１１が形成されている。このことで、ＳＩＭカード９は、カード差込部１０に対してキャビネット３ａの幅方向に抜き差しされるように構成されている。
【００４７】
このように、キャビネット３ａの長手方向に電池収容凹部８とカード差込部１０とを互いに隣り合うよう形成しているので、これらをスライド式携帯電話機１の厚さ方向に重ね合わせて設ける場合に比べて厚さが薄くなり、また、キャビネット３ａの長手方向のスペースが有効に利用されている。さらに、ＳＩＭカード９の抜き差し方向をキャビネット３ａの幅方向とすることで、キャビネット３ａの長手方向の長さの増加が防止されている。
【００４８】
上記電池収容凹部８とカード差込部１０との境界には、規制部材１２が設けられている。具体的には、規制部材１２は、樹脂成形品よりなる。テーパー面１１には、規制部材１２が差し込まれる規制部材挿入用開口１３が上下方向に伸びるように開口されている。
【００４９】
図８及び図９に示すように、規制部材１２は、規制部材挿入用開口１３に挿入される挿入部１４を有している。挿入部１４の基端側には、膨出部１９が形成されている。この膨出部１９は、テーパー面１１よりも表面側に膨出し、その最もＳＩＭカード９側の起立部１９ａ（図９にのみ示す）は、ＳＩＭカード９の先端のすぐ近傍に位置している。このことで、起立部１９ａが、ＳＩＭカード９がカード差込部１０から抜け出すのを規制している。規制部材１２を成形し易くするために膨出部１９の内部は空洞になっているが、中実のものでもよく、また、膨出部１９は、起立部１９ａのみからなるものでもよい。
【００５０】
挿入部１４の長手方向中間部には、テーパー面１１の一部を構成するテーパー部１５が形成されている。このテーパー部１５は、テーパー面１１と略面一な表面を有している。      
【００５１】
挿入部１４の先端１４ａは、規制部材挿入用開口１３周縁裏面に挿入されるように、テーパー面１１よりも一段低く形成されている。
【００５２】
また、挿入部１４の裏面側には、規制部材挿入用開口１３の周縁裏面に当接するフランジ部１６が広がっている。フランジ部１６には、規制部材挿入用開口１３に差し込まれたときに撓んで抜け止めされる抜け止め部１７が形成されている。具体的には、抜け止め部１７は、左側のフランジ部１６に設けた切り抜き１７ａと、突起１７ｂとを備え、突起１７ｂが規制部材挿入用開口１３周縁裏面のリブ（図示せず）に当接することで切り抜き１７ａ側に撓むように構成されている。
【００５３】
規制部材１２の電池収容凹部８との境界には、規制部材１２を抜き差しする際に操作する操作部１８が突設されている。具体的には、操作部１８は、上記膨出部１９の表面に連続してＳＩＭカード９側（左側）に伸びるように形成されている。操作部１８の電池収容凹部８側（下側）の側面１８ａは、電池収容凹部８の側壁と連続しているので、見映えがよくなっている。また、規制部材１２が挿入されているときに、操作部１８がＳＩＭカード９の上面を覆っているので、ＳＩＭカード９が取り出せないことが一見してわかるようになっている。この操作部１８を操作することで規制部材１２が容易に電池収容凹部８側にスライドされるようになっている。
【００５４】
このように、規制部材１２は、電池収容凹部８に電池６が収容されているときに、カード差込部１０に対してＳＩＭカード９の抜き差し動作を規制する役割を果たしている。規制部材１２は、電池収容凹部８側にスライドすることで、ＳＩＭカード９の抜き差し動作の規制を解除するように構成されている。
【００５５】
図５及び図６に示すように、規制部材１２の挿入部１４が規制部材挿入用開口１３に挿入された状態では、テーパー部１５，膨出部１９及び操作部１８のみが露出している。また、電池収容凹部８及びカード差込部１０は、電池６蓋で覆われているので、見映えがよい。
【００５６】
−作動−
次に、本実施形態にかかるスライド式携帯電話機１の作動について説明する。
【００５７】
スライド式携帯電話機１の使用中には、図５に示すように、電池６が電池収容凹部８に収容され、ＳＩＭカード９がカード差込部１０に差し込まれている。このとき、規制部材１２の膨出部１９がテーパー面１１よりも膨出しているので、ＳＩＭカード９の抜き差し動作が確実に規制される。また、規制部材１２は、フランジ部１６等により、完全に抜け止めされている。このため、電池６が収容されたままでは、ＳＩＭカード９は取り出せないので、ＳＩＭカード９の損傷が防止される。
【００５８】
一方、ＳＩＭカード９を取り出すときには、まず、図６に示すように、電池収容凹部８から電池６を取り出し、規制部材１２の操作部１８を指で押さえながら、矢印で示すように、電池収容凹部８側にスライドする。このように操作部１８が設けられているので、規制部材１２の抜き差しが容易である。また、規制部材１２を全て引き出してキャビネット３ａから取り出さなくてもよいので、規制部材１２を紛失することはない。
【００５９】
このときのスライド量は、膨出部１９がテーパー面１１上から抜け出す量でよく、挿入部１４の中間のテーパー部１５は、テーパー面１１に残っていてもよい。このことで、テーパー面１１上から膨出部１９が取り除かれ、規制部材１２によるＳＩＭカード９の抜き差し動作の規制が解除される。すなわち、図７に示すように、ユーザーは、一部露出するＳＩＭカード９を押さえながら、テーパー部１５を含むテーパー面１１上をスライドさせて取り出す。このように、電池６が外され、規制部材１２の規制が解除された状態で、ＳＩＭカード９が取り出されるので、ＳＩＭカード９の損傷が防止される。
【００６０】
再びＳＩＭカード９を挿入するときには、電池６が収容されていない状態で、ＳＩＭカード９をテーパー面１１及びテーパー部１５の上を滑らせてカード差込部１０に挿入する。規制部材１２の挿入部１４をテーパー面１１に形成した規制部材挿入用開口１３に挿入することで、挿入部１４のフランジ部１６が規制部材挿入用開口１３の周縁裏面に当接して抜け止めされる。さらに、抜け止め部１７が撓んでその弾性により抜け止めされるので、規制部材１２が誤って外れて規制部材１２の規制が解除されるのが確実に防止される。
【００６１】
−実施形態の効果−
したがって、本実施形態にかかるスライド式携帯電話機１によると、キャビネット３ａの長手方向に電池収容凹部８とカード差込部１０とを互いに隣り合うよう形成すると共に、規制部材１２により、電池収容凹部８に電池６が収容されているときに、カード差込部１０に対してＳＩＭカード９の抜き差し動作を規制したことにより、スライド式携帯電話機１の厚さを薄くしながら、電池６を入れたままＳＩＭカード９を抜き差ししてＳＩＭカード９が損傷するのを確実に防ぐことができる。
【００６２】
（その他の実施形態）
本発明は、上記実施形態について、以下のような構成としてもよい。
【００６３】
すなわち、上記実施形態では、携帯端末は、スライド式携帯電話機としたが、折畳み式携帯電話機や、ストレート式携帯電話機でもよい。いずれの形状の携帯電話機においても、ＳＩＭカード９が損傷するのが確実に防止されるので、ＳＩＭカード９の信頼性がアップし、商品性が向上する。
【００６４】
上記実施形態では、携帯端末は、スライド式携帯電話機としたが、ＰＣ、モバイルツール、電子辞書、電卓、複写機等であってもよい。また、ＰＨＳ、ＰＤＡなどの携帯通信機器であってもよい。
【００６５】
上記実施形態では、ＳＩＭカード９を対象としているが、他のＩＣカードでもよい。いずれのＩＣカードでも、電池６が収容されたままでＩＣカードが抜き差しされないので、ＩＣカード内部のデータが損傷されることはない。
【００６６】
なお、以上の実施形態は、本質的に好ましい例示であって、本発明、その適用物や用途の範囲を制限することを意図するものではない。
【産業上の利用可能性】
【００６７】
以上説明したように、本発明は、携帯電話機などの電池収容凹部及びカード差込部を有するキャビネットを備えた携帯端末において、カード差込部に対するＳＩＭカード等のＩＣカードの差し込み動作を規制する構造について有用である。
【図面の簡単な説明】
【００６８】
【図１】本発明の実施形態にかかるスライド式携帯電話機の電池を取り外し、規制部材をスライドさせた状態を示す斜視図である。
【図２】閉じた状態のスライド式携帯電話機を表面側から見た斜視図である。
【図３】開いた状態のスライド式携帯電話機を表面側から見た斜視図である。
【図４】閉じた状態のスライド式携帯電話機を裏面側から見た斜視図である。
【図５】蓋部を取り外し、電池が収容された状態を示す図１相当図である。
【図６】電池を取り外した状態を示す図１相当図である。
【図７】ＳＩＭカードを抜き出した状態を示す図１相当図である。
【図８】規制部材を拡大して表面側から見た斜視図である。
【図９】規制部材を拡大して裏面側から見た斜視図である。
【符号の説明】
【００６９】
１      スライド式携帯電話機（携帯端末）
５      電池蓋
６      電池
８      電池収容凹部
９      ＳＩＭカード（カード）
１０      カード差込部
１１      テーパー面
１２      規制部材
１３      規制部材挿入用開口
１４      挿入部
１４ａ    先端
１５      テーパー部
１６      フランジ部
１７      抜け止め部
１８      操作部
１９      膨出部
【図１】
2008289063.tif 000003
【図２】
2008289063.tif 000004
【図３】
2008289063.tif 000005
【図４】
2008289063.tif 000006
【図５】
2008289063.tif 000007
【図６】
2008289063.tif 000008
【図７】
2008289063.tif 000009
【図８】
2008289063.tif 000010
【図９】
2008289063.tif 000011